(57)【特許請求の範囲】
【請求項１】
放出された媒体の先端を衝突させ当該媒体の放出方向に直交する当該媒体の幅方向に平行な面である媒体衝突面における上記幅方向の外側端部が曲面形状であり、上記媒体衝突面に上記幅方向の一端から他端に亘って直線形状に刻設され上記媒体の先端を支持する複数の媒体支持部を上記媒体が集積される方向にほぼ沿って並ぶよう設けたビルストッパと、
上記媒体衝突面に衝突し落下した上記媒体を収容する媒体収容部と
を有する媒体集積装置。
【請求項２】
上記ビルストッパが上記媒体の上記幅方向の長さよりも短い間隔を空けて上記幅方向に複数並んで設けられた
請求項１に記載の媒体集積装置。
【請求項３】
上記媒体衝突面及び上記媒体支持部が上記媒体の上記幅方向の長さよりも短い範囲に亘って形成された１本の上記ビルストッパを有する
請求項１に記載の媒体集積装置。
【請求項４】
媒体を放出する媒体放出部と、
放出された媒体の先端を衝突させ当該媒体の放出方向に直交する当該媒体の幅方向に平行な面である媒体衝突面における上記幅方向の外側端部が曲面形状であり、上記媒体衝突面に上記幅方向の一端から他端に亘って直線形状に刻設され上記媒体の先端を支持する複数の媒体支持部を上記媒体が集積される方向にほぼ沿って並ぶよう設けたビルストッパと、
上記媒体衝突面に衝突し落下した上記媒体を収容する媒体収容部と、
上記媒体収容部に収容された上記媒体を繰り出す媒体繰出部と、
上記媒体放出部に対し上記媒体を搬送すると共に、上記媒体繰出部から繰り出された上記媒体を搬送する媒体搬送路と
を有する媒体処理装置。
【発明の詳細な説明】
【技術分野】
【０００１】
本発明は、媒体集積装置及び媒体処理装置に関し、例えば現金等の媒体を投入して所望の取引を行う現金自動預払機（ＡＴＭ：Automatic Teller Machine）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、出金取引において、紙幣を一時的に蓄積する空間を有する紙幣プールの開口部を水平方向に位置させ、出金紙幣搬送路から短辺方向に沿って搬送された紙幣を集積し、続いて紙幣プールを回動させて開口部を上方へ向け、顧客に対し現金を受け渡すものが提案されている（例えば、特許文献１参照）。
【０００４】
このような現金自動預払機においては、図１６乃至図１８に示すように、出金紙幣搬送路７ｂから搬送された紙幣ＢＬを確実に集積し、また紙幣ＢＬに傷が付くことを防止するため、搬送された紙幣ＢＬを衝突させるビルストッパ７２３（７２３Ｒ及び７２３Ｌ）を紙幣プール２４に設けているものがある。
【０００５】
ビルストッパ７２３Ｒ及び７２３Ｌは、略鉛直方向に延びる略直方体でなり、左右方向に紙幣ＢＬの長辺方向の長さよりもやや短い間隔を空けて２本設けられている。ビルストッパ７２３における紙幣衝突面７２７には、集積ローラ２２から紙幣ＢＬが放出される放出方向に直交する、紙幣ＢＬの幅方向（すなわち紙幣プール部７２０における左右方向）に延在する、断面Ｖ字形状の凸部７６０が上下方向に複数本並んで鋸歯状に突設されている。
【０００６】
ビルストッパ７２３において出金紙幣搬送路７ｂと対向する面である紙幣衝突面７２７には、出金紙幣搬送路７ｂから取り込まれた紙幣ＢＬの先端が衝突する。
【０００７】
またビルストッパ７２３の紙幣衝突面７２７は、左側面７５２及び右側面７５４と、それぞれほぼ９０度の角度を持つ左角部７５６及び右角部７５８を介し接している。
【０００８】
紙幣プール部７２０は、ビルストッパ７２３Ｒ及び７２３Ｌの紙幣衝突面７２７Ｒ及び７２７Ｌに紙幣ＢＬを衝突させて、紙幣ＢＬの先端が垂れ下がらないよう凸部７６０により支持し、先端の位置を揃えることにより、図１７に破線で示す紙幣ＢＬｔのように、予め定められた位置へ紙幣を整列させて集積する。
【先行技術文献】
【特許文献】
【０００９】
【特許文献１】特開２００７−１９９９１４公報
【発明の概要】
【発明が解決しようとする課題】
【００１０】
しかしながらそのようなビルストッパ７２３の場合、図１７に実線で示す紙幣ＢＬｆのように、紙幣ＢＬが斜行して放出された（すなわちスキューした）際に、紙幣ＢＬが衝突する紙幣衝突面７２７と紙幣ＢＬの先端との角度が揃っていないため、紙幣ＢＬの先端が左右のビルストッパ７２３の凸部７６０に正常に引っかからないことがある。
【００１１】
このため、紙幣ＢＬが左右のビルストッパ７２３によって整列されないまま叩き落とされ、斜行状態（スキュー状態）のまま集積されてしまい、集積不良を発生させてしまうおそれある。
【００１２】
本発明は以上の点を考慮してなされたもので、媒体の集積不良を防ぎ、信頼性を格段に高め得る媒体集積装置及び媒体処理装置を提案しようとするものである。
【課題を解決するための手段】
【００１３】
かかる課題を解決するため本発明の媒体集積装置においては、放出された媒体の先端を衝突させ当該媒体の放出方向に直交する当該媒体の幅方向に平行な面である媒体衝突面における幅方向の外側端部が曲面形状であり、媒体衝突面に幅方向の一端から他端に亘って直線形状に刻設され媒体の先端を支持する複数の媒体支持部を媒体が集積される方向にほぼ沿って並ぶよう設けたビルストッパと、媒体衝突面に衝突し落下した媒体を収容する媒体収容部とを設けるようにした。
【００１４】
この媒体集積装置は、スキューが発生した媒体における先行端部を位置矯正部に衝突させ、当該位置矯正部を支点として曲面形状に沿わせて回転させて、媒体を正常な位置に矯正することができる。
【００１５】
また本発明の媒体処理装置においては、媒体を放出する媒体放出部と、放出された媒体の先端を衝突させ当該媒体の放出方向に直交する当該媒体の幅方向に平行な面である媒体衝突面における幅方向の外側端部が曲面形状であり、媒体衝突面に幅方向の一端から他端に亘って直線形状に刻設され媒体の先端を支持する複数の媒体支持部を媒体が集積される方向にほぼ沿って並ぶよう設けたビルストッパと、媒体衝突面に衝突し落下した媒体を収容する媒体収容部と、媒体収容部に収容された媒体を繰り出す媒体繰出部と、媒体放出部に対し媒体を搬送すると共に、媒体繰出部から繰り出された媒体を搬送する媒体搬送路とを設けるようにした。
【００１６】
この媒体処理装置は、スキューが発生した媒体における先行端部を位置矯正部に衝突させ、当該位置矯正部を支点として曲面形状に沿わせて回転させて、媒体を正常な位置に矯正することができる。
【発明の効果】
【００１７】
本発明によれば、スキューが発生した媒体における先行端部を位置矯正部に衝突させ、当該位置矯正部を支点として曲面形状に沿わせて回転させて、媒体を正常な位置に矯正することができる。かくして本発明は、媒体の集積不良を防ぎ、信頼性を格段に高め得る媒体集積装置及び媒体処理装置を実現できる。
【図面の簡単な説明】
【００１８】
【図１】第１及び第３の実施の形態による現金自動預払機の外観構成を示す略線的斜視図である。
【図２】第１及び第３の実施の形態による現金自動預払機の内部構成を示す略線図である。
【図３】第１の実施の形態による紙幣プール部の構成（１）を示す略線的断面図である。
【図４】第１の実施の形態による紙幣プール部の構成（２）を示す略線的上面図である。
【図５】第１の実施の形態によるビルストッパの構成を示す略線的断面図である。
【図６】第２の実施の形態による紙幣プール部の構成（１）を示す略線的断面図である。
【図７】第２の実施の形態による紙幣プール部の構成（２）を示す略線的上面図である。
【図８】第２の実施の形態による位置矯正部を示す略線的斜視図である。
【図９】参考例としての第３の実施の形態による紙幣プール部の構成（１）を示す略線的断面図である。
【図１０】参考例としての第３の実施の形態による紙幣プール部の構成（２）を示す略線的上面図である。
【図１１】参考例としての第３の実施の形態による位置矯正部の構成を示す略線的斜視図である。
【図１２】他の実施の形態による紙幣プール部の構成（１）を示す略線的上面図である。
【図１３】他の実施の形態による紙幣プール部の構成（２）を示す略線的上面図である。
【図１４】他の実施の形態による位置矯正部の構成（１）を示す略線的斜視図である。
【図１５】参考例としての他の実施の形態による位置矯正部の構成（２）を示す略線的斜視図である。
【図１６】従来の紙幣プール部の構成（１）を示す略線的断面図である。
【図１７】従来の紙幣プール部の構成（２）を示す略線的上面図である。
【図１８】従来のビルストッパの構成を示す略線的斜視図である。
【発明を実施するための形態】
【００１９】
以下、発明を実施するための形態（以下実施の形態とする）について、図面を用いて詳細に説明する。
【００２０】
＜１．第１の実施の形態＞
［１−１．現金自動預払機の全体構成］
図１に外観を示すように、現金自動預払機１は、箱状の筐体２を中心に構成されており、顧客との間で現金に関する取引を行うようになされている。
【００２１】
筐体２は、その前面２Ａ側に顧客が対峙した状態で紙幣の投入やタッチパネルによる操作等をしやすい箇所、すなわち前面２Ａの上部から上面に渡る箇所に、接客部３が設けられている。
【００２２】
接客部３は、顧客との間で現金や通帳等を直接やり取りすると共に、取引に関する情報の通知や操作指示の受付を行うようになされており、硬貨入出金口１１、紙幣入出金口１２、通帳挿入口１３、カード挿入口１４及び表示操作部１５が設けられている。
【００２３】
硬貨入出金口１１及び紙幣入出金口１２は、顧客が入金する硬貨及び紙幣がそれぞれ投入されると共に、顧客へ出金する硬貨及び紙幣がそれぞれ排出される部分である。また硬貨入出金口１１及び紙幣入出金口１２は、それぞれに設けられたシャッタを駆動することにより開放又は閉塞するようになされている。因みに紙幣は、例えば長方形の紙で構成されており、形状がカールしていたり、端部がめくれていたりする場合もある。
【００２４】
通帳挿入口１３は、取引で使用される通帳が挿入され、取引が終了すると通帳が排出される部分である。この通帳挿入口１３の奥部には、取引内容等を通帳に記録する通帳処理部（図示せず）が設けられている。
【００２５】
カード挿入口１４は、キャッシュカード等の各種カードが挿入又は排出される部分である。カード挿入口１４の奥部には、各種カードに磁気記録された口座番号等の読み取りを行うカード処理部（図示せず）が設けられている。
【００２６】
表示操作部１５は、取引に際して操作画面を表示するＬＣＤ（Liquid Crystal Display）と、取引の種類の選択、暗証番号や取引金額などを入力するタッチパネルとが一体化されている。
【００２７】
図２は、図１の現金自動預払機１を矢印Ａ方向から見た側面図であり、当該現金自動預払機１の内部構成のうち主に紙幣の処理に関する部分を示している。同図に示したように、現金自動預払機１の内部には、上側に接客部３、紙幣の金種や真偽を判定する鑑別部４及び入金紙幣を一時的に保留する一時保留部５等が設けられており、下側に金種別のカセットでなる紙幣貯蔵部６等が設けられている。図中太線で示す搬送路７は、各部の間で紙幣を短辺方向に沿って搬送する。
【００２８】
この現金自動預払機１は、制御部８により全体を統括制御するようになされている。制御部８は、顧客が紙幣を入金する入金取引を行う場合、表示操作部１５を介して所定の操作入力を受け付けた後、紙幣入出金口１２のシャッタを開いて紙幣を紙幣プール部２０に投入させる。
【００２９】
続いて制御部８は、紙幣プール部２０に投入された紙幣を搬送路７における入金紙幣搬送路７ａを介して鑑別部４へ搬送して鑑別させ、鑑別された紙幣を一時保留部５へ搬送して一時的に保留する一方、取引すべきでないと鑑別されたリジェクト紙幣を紙幣プール部２０へ搬送して顧客に返却する。
【００３０】
その後制御部８は、表示操作部１５を介して顧客に入金金額を確定させ、一時保留部５に保留している紙幣を再び鑑別部４へ搬送して金種を再鑑別させて、鑑別された金種に応じて紙幣貯蔵部６の各カセットへ搬送し収納させるようになされている。
【００３１】
一方制御部８は、顧客に対し紙幣を出金する出金取引を行う場合、鑑別部４から搬送した紙幣を、搬送路７における出金紙幣搬送路７ｂを介して紙幣プール部２０に集積する。その後制御部８は、紙幣入出金口１２のシャッタを開いて、紙幣プール部２０に集積した紙幣を顧客に受け渡す。
【００３２】
［１−２．紙幣プール部の構成］
図３及び図４に、第１の実施の形態による紙幣プール部２０を示す。図３の図中左側が現金自動預払機１の前面側（以下、単に前側とも呼ぶ）であり、図中右側が現金自動預払機１の後面側（以下、単に後側とも呼ぶ）である。また図３は、出金取引において紙幣プール２４に紙幣を集積する集積ポジションに位置している状態の紙幣プール部２０を示している。
【００３３】
紙幣プール部２０は、主に紙幣プール壁２１（２１ａ、２１ｂ及び２１ｃ）、集積ローラ２２（２２ａ及び２２ｂ）及びビルストッパ２３（２３Ｒ及び２３Ｌ）により構成されている。
【００３４】
紙幣プール壁２１は、側断面が略Ｕ字（コ字）形状の部材で形成されており、紙幣プール部２０に入金又は出金する紙幣ＢＬを一時的に蓄積する空間である紙幣プール２４の三側面を形成すると共に紙幣の入出を可能にする開口部２５を形成している。
【００３５】
この紙幣プール壁２１は、図示しない軸、駆動部及び駆動伝達部により、当該軸を支点として図３の図中時計方向および反時計方向に回動自在に構成されている。
【００３６】
顧客との間で紙幣の授受を行う場合、紙幣プール壁２１は図２に実線で示したように紙幣プール２４の開口部２５が紙幣入出金口１２と対向する位置（この位置を顧客ポジションとも呼ぶ）へ回動する。
【００３７】
また、紙幣プール２４へ投入された紙幣を１枚ずつ分離して入金紙幣搬送路７ａへ繰り出す場合、若しくは出金する紙幣を出金紙幣搬送路７ｂを介して紙幣プール２４に集積する場合、紙幣プール壁２１は、紙幣プール２４の開口部２５が入金紙幣搬送路７ａ及び出金紙幣搬送路７ｂに対向する位置（この位置を分離ポジション又は集積ポジションとも呼ぶ）に回動する。
【００３８】
出金紙幣搬送路７ｂ（図３）は、紙幣プール壁２１ａの後方に設けられている。出金紙幣搬送路７ｂの出口であり、紙幣プール２４の上部分（後述するビルストッパ２３の上部分）と対向する位置に設けられた集積ローラ２２（２２ａ及び２２ｂ）は、図示しない駆動部により図中時計方向及び反時計方向にそれぞれ回転することにより、出金紙幣搬送路７ｂで搬送された紙幣ＢＬを挟持し紙幣プール２４へ送り出す。
【００３９】
集積ローラ２２ｂの回転軸には、ゴム等の弾性部材で形成された舌片２８が設けられている。この舌片２８は、集積ローラ２２ｂと共に反時計方向に回転することにより、紙幣プール２４へ送り出された紙幣ＢＬの後端部分を、下方向のやや後方へ向けて叩き落とす。
【００４０】
紙幣プール壁２１ｃの後端部付近には、左右方向に沿った回転軸を中心に図示しない駆動部により回転可能な繰出ローラ４２が設けられている。紙幣プール壁２１ｃにおいて繰出ローラ４２に対応する位置には、図示しない開口部が設けられている。紙幣プール２４に集積された紙幣ＢＬは、当該開口部から上部に突出した繰出ローラ４２に当接し、１枚ずつ分離されて入金ローラ２６へ繰り出される。
【００４１】
一方入金ローラ２６（２６ａ及び２６ｂ）は、図示しない駆動部により図中時計方向及び反時計方向にそれぞれ回転することにより、繰出ローラ４２により繰り出された紙幣ＢＬを入金紙幣搬送路７ａへ搬送する。
【００４２】
紙幣プール壁２１ａと２１ｃとの間には、図示しない駆動部により当該紙幣プール壁２１ａと２１ｃとの間を昇降可能な板状でなる可動ステージ４０が設けられている。
【００４３】
現金自動預払機１は、紙幣プール２４を集積ポジションに位置させている際に可動ステージ４０を上昇させることにより、当該可動ステージ４０に集積された紙幣ＢＬを上昇させる一方、可動ステージ４０を下降させることにより、集積した紙幣ＢＬを繰出ローラ４２に当接させ、入金紙幣搬送路７ａに搬送する。
【００４４】
ところで紙幣プール壁２１ｂ（図４）には、紙幣プール２４が集積ポジションに位置している際に、当該紙幣プール壁２１ｂに沿って略鉛直方向に延在する略直方体でなる一対のビルストッパ２３（２３Ｒ及び２３Ｌ）が設けられている。ビルストッパ２３Ｒ及び２３Ｌは、左右方向に紙幣ＢＬの長辺方向の長さよりもやや短い間隔を空けて２本設けられている。ビルストッパ２３（図３）において出金紙幣搬送路７ｂと対向する面である紙幣衝突面２７には、出金紙幣搬送路７ｂから取り込まれた紙幣ＢＬの先端が衝突する。
【００４５】
ビルストッパ２３は、紙幣プール壁２１ｂに設けられた回動軸３１においてその下端部を支点として回動自在に構成され、弾性部材で形成された図示しないスプリング機構により紙幣プール２４の開口部２５側（後側）に付勢されると共に図示しない係止部材でその付勢が所定の位置で規制されている。ビルストッパ２３は、出金紙幣搬送路７ｂから取り込まれた紙幣ＢＬの先端が紙幣衝突面２７に衝突すると、回動軸３１を支点として紙幣プール壁２１ｂ側（前側）に回動する。
【００４６】
これによりビルストッパ２３は、出金紙幣搬送路７ｂから取り込まれた紙幣ＢＬの先端が紙幣衝突面２７に衝突した際の衝撃を吸収し、紙幣ＢＬが強くバウンドしてしまうことを抑止すると共に、紙幣ＢＬに傷を付けてしまうことを防止することができる。
【００４７】
［１−３．ビルストッパの構成］
図５に示すように、ビルストッパ２３Ｒにおける紙幣衝突面２７Ｒと左側面５２Ｒとが接する左角丸部５６Ｒは丸みを帯びており、曲面形状となっている。
【００４８】
同様に、ビルストッパ２３Ｒにおける紙幣衝突面２７Ｒと右側面５４Ｒとが接する右角丸部５８Ｒは丸みを帯びており、曲面形状となっている。
【００４９】
ビルストッパ２３Ｒにおける紙幣衝突面２７Ｒには、集積ローラ２２から紙幣ＢＬが放出される放出方向に直交する、紙幣ＢＬの幅方向（すなわち紙幣プール部２０における左右方向）に延在する、断面Ｖ字形状の凸部６０が上下方向に複数本並んで鋸歯状に突設されている。
【００５０】
以上はビルストッパ２３Ｒについて説明したが、ビルストッパ２３Ｌにおける紙幣衝突面２７Ｌ、左側面５２Ｌ、右側面５４Ｌ、左角丸部５６Ｌ及び右角丸部５８Ｌ（図示しない）についてもビルストッパ２３Ｒと同様に構成されている。以下では、左角丸部５６Ｌ、右角丸部５８Ｌ、左角丸部５６Ｒ及び右角丸部５８Ｒをまとめて角丸部とも呼ぶ。
【００５１】
［１−４．動作及び効果］
以上の構成において現金自動預払機１は、紙幣ＢＬを顧客に出金する場合、制御部８の制御により紙幣プール壁２１を集積ポジションに回動させると共に可動ステージ４０を紙幣プール壁２１ｃ付近まで下降させる。続いて現金自動預払機１は集積ローラ２２を回転させることにより、出金紙幣搬送路７ｂから搬送された紙幣ＢＬを図３に示したように紙幣プール２４へ送り出す。
【００５２】
紙幣ＢＬは図中前方向へ放出され、後端が出金紙幣搬送路７ｂ及び集積ローラ２２から外れ紙幣プール２４内へ送り出されると共に、その先端が位置矯正部としてのビルストッパ２３の紙幣衝突面２７に衝突する。
【００５３】
現金自動預払機１は、舌片２８で紙幣ＢＬの後端部分を紙幣プール壁２１ｃ側（すなわち下方向）に叩き落とすことにより、後続の紙幣ＢＬが紙幣プール２４内へ送り出される前に可動ステージ４０上に紙幣ＢＬを集積する。
【００５４】
このように現金自動預払機１は、複数の紙幣ＢＬを、当該紙幣ＢＬの面が延びている方向である面方向がほぼ水平方向に沿いつつ互いに上下方向に重なるよう紙幣プール２４内部に集積する。
【００５５】
ここで、図４に実線で示したように、正常な紙幣ＢＬｔと比べ、例えば右端が左端よりも先行する（すなわち上部から見て時計回りに回転する）ようにスキューしている紙幣ＢＬｆが紙幣プール２４へ放出された場合、当該紙幣ＢＬｆの先端における右端部付近が、ビルストッパ２３Ｒにおける右角丸部５８Ｒに衝突する。なお以下では、スキューしている紙幣ＢＬにおいて先行する左右方向いずれかの端部を、先行端部とも呼ぶ。
【００５６】
紙幣ＢＬは、右角丸部５８Ｒの曲面に沿ってビルストッパ２３Ｒを支点としながら上部から見て反時計回りに回転し、当該紙幣ＢＬの先端における左端部付近が、ビルストッパ２３Ｌに当接することにより、正常位置へと矯正される。これにより紙幣プール部２０は、スキュー紙幣を整列して集積することができる。
【００５７】
従来のビルストッパ７２３（図１８）においては、紙幣衝突面７２７における左角部７５６及び右角部７５８は、それぞれほぼ９０度の角度で構成されている。
【００５８】
このように尖った角形状部分に紙幣ＢＬが衝突すると、ビルストッパ７２３と紙幣ＢＬとは互いに点接触するため、紙幣ＢＬはビルストッパ７２３を支点として回転し難い。
【００５９】
これに対しビルストッパ２３においては、紙幣ＢＬが曲面形状でなる右角丸部５８Ｒに当接すると、紙幣ＢＬにおいて当該曲面形状と当接する位置が徐々に左側に移動しながら、当該曲面形状に沿って紙幣ＢＬが回転移動することができる。
【００６０】
これにより現金自動預払機１は、スキュー状態のまま紙幣ＢＬが紙幣プール２４内部に集積されることを防ぐことができる。
【００６１】
また、従来の紙幣プール部７２０においては、スキューした紙幣ＢＬがビルストッパ７２３の凸部７６０に引っかからずに、先行端部が可動ステージ４０と紙幣プール壁２１との間に潜り込んでしまう可能性があった。
【００６２】
これに対し紙幣プール部２０においては、紙幣ＢＬの位置が曲面形状でなる角丸部により矯正されるため、スキューした紙幣ＢＬが可動ステージ４０と紙幣プール壁２１との間に潜り込むことを防ぐことができる。
【００６３】
さらに、従来のビルストッパ７２３（図１８）の場合、尖った形状でなる左角部７５６又は右角部７５８に紙幣ＢＬが衝突するため、ビルストッパ７２３は、当該紙幣ＢＬを破損させてしまう可能性があった。
【００６４】
これに対しビルストッパ２３においては、曲面形状でなる角丸部に紙幣ＢＬが衝突するため、ビルストッパ２３が紙幣ＢＬに与える衝撃が分散され、紙幣ＢＬの破損を防止することができる。
【００６５】
また紙幣プール部２０においては、ビルストッパ２３Ｒ及び２３Ｌは、現金自動預払機１において取り扱われる紙幣ＢＬのうち最も幅が狭い紙幣ＢＬが、紙幣ＢＬの左右方向のいずれかに最も位置ずれし、予め想定された最大のスキュー量だけ斜行した場合において、紙幣ＢＬの左右両端部に当接し得る範囲内で、可能な限り左右方向外側に位置することが望ましい。
【００６６】
これにより左右一方のビルストッパ２３は、紙幣ＢＬに与える力のモーメント（回転力）を大きくし、紙幣ＢＬを大きく回転させ、左右方向の反対側に位置する他方のビルストッパ２３に確実に当接させることができる。
【００６７】
具体的には、ビルストッパ２３Ｒ（図４）は、最も幅方向の長さが短い紙幣ＢＬであって、紙幣ＢＬが想定されるスキュー量以内で上から見て時計回りに最もスキューし、さらに紙幣ＢＬ全体が最も左側に位置ずれした際に、紙幣ＢＬの先端の右端部よりも内側に配置される。
【００６８】
また、ビルストッパ２３Ｌ（図４）は、最も幅方向の長さが短い紙幣ＢＬであって、紙幣ＢＬが想定されるスキュー量以内で上から見て反時計回りに最もスキューし、さらに紙幣ＢＬ全体が最も右側に位置ずれした際に、紙幣ＢＬの先端の左端部よりも内側に配置される。
【００６９】
さらにビルストッパ２３は、凸部６０の後端を左右方向に沿った直線形状とし、ビルストッパ２３の曲面形状に沿うように湾曲させないようにした。
【００７０】
仮に凸部６０の後端の左右方向端部をビルストッパ２３の曲面形状に沿うように湾曲させてしまうと、紙幣ＢＬがスキューしていない際に当該凸部６０が紙幣ＢＬを支持し難くなってしまう。
【００７１】
これに対しビルストッパ２３においては、凸部６０の後端を左右方向に延びる直線形状としたため、スキューしていない紙幣ＢＬの先端を確実に支持できる。
【００７２】
以上の構成によれば、媒体処理装置としての現金自動預払機１における媒体集積装置としての紙幣プール部２０は、出金紙幣搬送路７ｂから集積ローラ２２により放出された紙幣ＢＬの先端を衝突させる紙幣衝突面２７を有し、紙幣ＢＬの幅方向に当該紙幣の幅方向の長さよりも短い間隔を空けて、位置矯正部としてのビルストッパ２３Ｒ及び２３Ｌを設けるようにした。また紙幣プール部２０は、ビルストッパ２３Ｒ及び２３Ｌの紙幣衝突面２７Ｒ及び２７Ｌの左右端部を丸みのある左角丸部及び右角丸部とし、曲面形状とするようにした。また紙幣プール部２０は、ビルストッパ２３Ｒ及び２３Ｌにおける凸部６０に引っ掛かり支持された紙幣ＢＬを舌片２８により叩き落とし、媒体収容部としての紙幣プール２４に収容するようにした。
【００７３】
これにより現金自動預払機１は、スキューが発生した紙幣ＢＬにおける先行端部をビルストッパ２３の角丸部に衝突させ、当該ビルストッパ２３を支点として曲面形状に沿わせて回転させて、紙幣ＢＬを正常な位置に矯正することができる。かくして現金自動預払機１は、紙幣ＢＬの集積不良を防ぎ、信頼性を従来よりも格段に高め得ることができる。
【００７４】
＜２．第２の実施の形態＞
［２−１．位置矯正部の構成］
図１及び図２に示す第２の実施の形態による現金自動預払機１０１は、第１の実施の形態による現金自動預払機１と比べて、紙幣プール部１２０が紙幣プール部２０と異なっているものの、それ以外は同様に構成されている。
【００７５】
また、第２の実施の形態による紙幣プール部１２０は、図６乃至図８に示す位置矯正部１８０が、第１の実施の形態による位置矯正部８０（ビルストッパ２３）（図５）と異なっている。
【００７６】
図７に示すように、紙幣プール壁２１ｂの後面には、当該紙幣プール壁２１ｂと平行に延びる板状でなるガイド７０が固定されている。
【００７７】
ガイド７０の後面には、左右方向に並んで、ビルストッパ１２３（１２３Ｒ及び１２３Ｌ）とリブ７２（７２Ｒ及び７２Ｌ）とが設けられている。
【００７８】
なお、ビルストッパ１２３Ｌ及びリブ７２Ｌと、ビルストッパ１２３Ｒ及びリブ７２Ｒとは左右対称に構成されているので、以下ではビルストッパ１２３Ｒ及びリブ７２Ｒについてのみ説明する。
【００７９】
図８に示すようにガイド７０の後面右端付近には、左右方向に短辺を有し上下方向に延在する板状のリブ７２Ｒが後方に向かって突設している。このリブ７２Ｒは、紙幣プール２４に放出された紙幣ＢＬの右端部よりもやや内側に位置している。
【００８０】
リブ７２Ｒにおいて出金紙幣搬送路７ｂと対向する面であるリブ紙幣衝突面７４Ｒと、リブ７２Ｒの左側面であるリブ左側面７６Ｒとが接するリブ角丸部１５８Ｒは丸みを帯びており、曲面形状となっている。
【００８１】
また、ガイド７０の後面におけるリブ７２Ｒの内側（左側）には、リブ７２Ｒと平行に上下方向に延在する略直方体でなるビルストッパ１２３Ｒが突設している。なお図８においては、紙幣ＢＬがビルストッパ１２３Ｒに衝突し、当該ビルストッパ１２３Ｒが最も前方に回動した状態を示している。
【００８２】
ビルストッパ１２３Ｒは、第１の実施の形態によるビルストッパ２３Ｒと同様に、紙幣衝突面１２７Ｒにおいて紙幣ＢＬの幅方向に延在する、断面Ｖ字形状の凸部１６０が上下方向に複数本並んで鋸歯状に突設されている。
【００８３】
またビルストッパ１２３Ｒの紙幣衝突面１２７Ｒは、ビルストッパ２３Ｒ（図５）とは異なり、左側面１５２Ｒ及び右側面１５４Ｒに対し、それぞれほぼ９０度の角度をもつ左角部１５６Ｒ及び右角部１５８Ｒを介して接している。
【００８４】
ここで、ガイド７０の後面からリブ紙幣衝突面７４Ｒまでの距離であるリブ高さＨＲＢは、ガイド７０の後面からビルストッパ１２３Ｒの紙幣衝突面１２７Ｒまでの高さであるビルストッパ高さＨＢＳよりも短く構成されている。
【００８５】
［２−２．動作及び効果］
以上の構成において現金自動預払機１０１は、紙幣ＢＬを顧客に出金する場合、集積ローラ２２により紙幣ＢＬを紙幣プール２４へ送り出し、その先端を位置矯正部としてのビルストッパ１２３の紙幣衝突面１２７に衝突させ、舌片２８で紙幣ＢＬの後端部分を叩き落とすことにより、紙幣ＢＬを集積する。
【００８６】
ここで、正常に搬送された紙幣ＢＬｔと比べ、例えば右端が左端よりも先行するようにスキューしている紙幣ＢＬｆが紙幣プール２４へ放出された場合、紙幣ＢＬの先端における右端部付近が、ビルストッパ１２３Ｒの紙幣衝突面１２７Ｒよりも先に、リブ７２Ｒにおけるリブ角丸部１５８Ｒに衝突する。
【００８７】
続いて紙幣ＢＬは、リブ角丸部１５８Ｒの曲面形状に沿って反時計回りに回転し、リブ角丸部１５８Ｒと衝突した部分よりも内側（左側）の位置が、ビルストッパ１２３Ｒの紙幣衝突面１２７Ｒに当接する。
【００８８】
続いて紙幣ＢＬは、紙幣衝突面１２７Ｒの右端部分を支点として反時計回りに回転し、当該紙幣ＢＬの先端における左端部付近が、ビルストッパ１２３Ｌの紙幣衝突面１２７Ｌに当接する。このため紙幣ＢＬは、正常位置へとその位置が矯正される。これにより紙幣プール部１２０は、スキュー紙幣を整列して集積することができる。
【００８９】
以上は上部から見て時計回りに回転するようにスキューした紙幣ＢＬｆについて説明した。これとは逆に、上部から見て反時計回りに回転するようにスキューした紙幣ＢＬ（図示しない）が紙幣プール２４へ放出された場合、当該紙幣ＢＬの先端における左端部付近が、まずリブ７２Ｌのリブ角丸部１５８Ｌに衝突し時計回りに回転した後、ビルストッパ１２３Ｌの紙幣衝突面１２７Ｌの左端部分を支点として時計回りに回転し、当該紙幣ＢＬの先端における右端部付近が、ビルストッパ１２３Ｒの紙幣衝突面１２７Ｒに当接する。これにより紙幣ＢＬは、正常位置へと矯正される。
【００９０】
また紙幣プール部１２０においては、リブ７２のリブ紙幣衝突面７４の方がビルストッパ１２３の紙幣衝突面１２７よりも前方に位置しているため、スキューしていない紙幣ＢＬｔは、リブ紙幣衝突面７４には衝突しない。
【００９１】
一方、正常に搬送された紙幣ＢＬｔと比べ、例えば右端が左端よりも先行するようにスキューしている紙幣ＢＬｆは、当該紙幣ＢＬｆの先端における右端部付近が、リブ７２Ｒのリブ紙幣衝突面７４Ｒに衝突する。
【００９２】
このように紙幣プール部１２０は、スキューすることなく正常に搬送されて来た紙幣ＢＬｔが紙幣衝突面１２７に正常に衝突することを妨げることなく、スキューした紙幣ＢＬｆに対して、当該スキューを矯正するように機能することができる。
【００９３】
また紙幣プール部１２０においては、リブ７２Ｒ及び７２Ｌは、それぞれビルストッパ１２３Ｒ及び１２３Ｌの左右方向における外側であって、現金自動預払機１０１において取り扱われる紙幣ＢＬのうち最も幅が狭い紙幣ＢＬが、紙幣ＢＬの左右方向のいずれかに最も位置ずれし、予め想定された最大のスキュー量だけ斜行した場合において、紙幣ＢＬの左右両端部に当接し得る範囲内で、可能な限り左右方向外側に位置することが望ましい。
【００９４】
これによりリブ７２は、紙幣ＢＬに与える回転力を大きくし、紙幣ＢＬを大きく回転させて左右方向の反対側に位置するビルストッパ１２３に確実に当接させることができる。
【００９５】
具体的には、リブ７２Ｒは、最も幅方向の長さが短い紙幣ＢＬであって、紙幣ＢＬが想定されるスキュー量以内で時計回りに最もスキューし、さらに紙幣ＢＬ全体が最も左側に位置ずれした際に、ビルストッパ１２３Ｒ（図４）の左右方向の外側（右側）であって紙幣ＢＬの先端の右端部よりも内側に配置される。
【００９６】
またリブ７２Ｌは、最も幅方向の長さが短い紙幣ＢＬであって、紙幣ＢＬが想定されるスキュー量以内で反時計回りに最もスキューし、さらに紙幣ＢＬ全体が最も右側に位置ずれした際に、ビルストッパ１２３Ｌ（図４）の左右方向の外側（左側）であって紙幣ＢＬの先端の左端部よりも内側に配置される。
【００９７】
以上の構成によれば、媒体処理装置としての現金自動預払機１０１における媒体集積装置としての紙幣プール部１２０は、出金紙幣搬送路７ｂから集積ローラ２２により放出された紙幣ＢＬの先端を衝突させる紙幣衝突面１２７を有し、紙幣ＢＬの幅方向に当該紙幣の幅方向の長さよりも短い間隔を空けてビルストッパ１２３Ｒ及び１２３Ｌを設けるようにした。また紙幣プール部１２０は、ビルストッパ１２３Ｒ及び１２３Ｌよりも紙幣ＢＬの幅方向の外側において、斜行して放出された紙幣ＢＬが衝突する位置矯正部としてリブ７２Ｒ及び７２Ｌを上下方向に延設するようにした。さらに紙幣プール部１２０は、リブ７２Ｒ及び７２Ｌにおけるリブ紙幣衝突面７４Ｒ及び７４Ｌの左右方向の外側端部に、曲面形状でなるリブ角丸部１５８Ｒ及び１５８Ｌを設けるようにした。
【００９８】
これにより現金自動預払機１０１は、スキューが発生した紙幣ＢＬにおける先行端部をリブ７２のリブ角丸部１５８に衝突させ、リブ７２を支点として曲面形状に沿わせて回転させると共に、当該リブ７２の左右方向内側に設けられたビルストッパ１２３を支点として回転させて、紙幣ＢＬを正常な位置に矯正することができる。かくして現金自動預払機１０１は、紙幣ＢＬの集積不良を防ぎ、信頼性を従来よりも格段に高め得ることができる。
【００９９】
＜３．第３の実施の形態＞
［３−１．位置矯正部の構成］
図１及び図２に示す第３の実施の形態による現金自動預払機２０１は、第２の実施の形態による現金自動預払機１０１と比べて、紙幣プール部２２０が紙幣プール部１２０と異なっているものの、それ以外は同様に構成されている。また、第３の実施の形態による紙幣プール部２２０は、図９乃至図１１に示す位置矯正部２８０が、第２の実施の形態による位置矯正部１８０と異なっている。なおこの第３の実施の形態による現金自動預払機２０１は、発明を理解する上での参考例である。
【０１００】
図１０に示すように、紙幣プール壁２１ｂの後面には、当該紙幣プール壁２１ｂと平行に延びる板状でなるガイド７０が固定されている。
【０１０１】
ガイド７０の後面には、左右方向に並んで、ビルストッパ１２３（１２３Ｒ及び１２３Ｌ）とリブ２７２（２７２Ｒ及び２７２Ｌ）とが設けられている。
【０１０２】
なお、ビルストッパ１２３Ｌ及びリブ２７２Ｌと、ビルストッパ１２３Ｒ及びリブ２７２Ｒとは左右対称に構成されているので、以下ではビルストッパ１２３Ｒ及びリブ２７２Ｒについてのみ説明する。
【０１０３】
図１１に示すように、ガイド７０の後面右端付近には、上下方向に短辺を有し左右方向に延在する板状の直方体であるリブ２７２Ｒが、ビルストッパ１２３Ｒにおける凸部１６０の上下方向の間隔とほぼ同様の間隔を空けて上下方向に複数本並ぶよう後方に向かって突設している。
【０１０４】
ガイド７０の後面におけるリブ２７２Ｒの内側（左側）には、上下方向に延在する略直方体でなるビルストッパ１２３Ｒが突設している。
【０１０５】
ビルストッパ１２３Ｒは、第２の実施の形態によるビルストッパ１２３Ｒと同様に、紙幣衝突面１２７Ｒにおいて紙幣ＢＬの幅方向に延在する、断面Ｖ字形状の凸部１６０が上下方向に複数本並んで鋸歯状に突設されている。
【０１０６】
また、ビルストッパ１２３Ｒの紙幣衝突面１２７Ｒは、ビルストッパ１２３Ｒ（図８）と同様に左側面１５２Ｒ及び右側面１５４Ｒに対し、それぞれほぼ９０度の角度をもつ左角部１５６Ｒ及び右角部１５８Ｒを介して接している。
【０１０７】
ここで、ガイド７０の後面からリブ１７２Ｒの後端面までの距離であるリブ高さＨＲＢは、ガイド７０の後面からビルストッパ１２３Ｒの紙幣衝突面１２７までの高さであるビルストッパ高さＨＢＳよりも短く構成されている。
【０１０８】
［３−２．動作及び効果］
以上の構成において現金自動預払機２０１は、紙幣ＢＬを顧客に出金する場合、集積ローラ２２により紙幣ＢＬを紙幣プール２４へ送り出し、その先端を位置矯正部としてのビルストッパ１２３の紙幣衝突面１２７に衝突させ、舌片２８で紙幣ＢＬの後端部分を叩落とすことにより、紙幣ＢＬを集積する。
【０１０９】
ここで、正常に搬送された紙幣ＢＬｔと比べ、例えば右端が左端よりも先行するようにスキューしている紙幣ＢＬｆが紙幣プール２４へ放出された場合、当該紙幣ＢＬｆの先端における右端部付近が、ビルストッパ１２３Ｒの紙幣衝突面１２７Ｒよりも先に、上下方向に隣り合うリブ２７２Ｒの間に入り、ガイド７０の後面に衝突する。
【０１１０】
紙幣ＢＬは、先端の右端部がガイド７０の後面に接しながら下方向に滑るように移動する。
【０１１１】
このとき紙幣ＢＬの先端の右端部は、下方に配されたリブ２７２Ｒの上側面に当接するため、当該先端の右端部が垂れ下がることを抑制される。
【０１１２】
従来の紙幣プール部（図１７）においては、紙幣ＢＬがスキューして先行端部が紙幣プール壁２１ｂに接触すると、当該紙幣プール壁２１ｂに沿って先行端部が垂れながら滑り落ちていき、先行端部が可動ステージ４０と紙幣プール壁２１ｂとの間に潜り込んでしまう可能性があった。
【０１１３】
これに対し紙幣プール部２２０においては、上下方向に間隔を持って左右方向に延設されたリブ２７２が紙幣ＢＬの先行端部に引っかかることにより、紙幣ＢＬが先行端部から垂れ下がってしまうことを防止し、可動ステージ４０と紙幣プール壁２１ｂとの間に潜り込んでしまうことを防止することができる。
【０１１４】
さらに紙幣ＢＬは、リブ２７２Ｒにより下方向に垂れ下がることを抑止されながら、紙幣プール壁２１ｂを支点として反時計回りに回転し、ビルストッパ１２３Ｒに当接すると、当該ビルストッパ１２３Ｒを支点としてさらに反時計回りに回転する。
【０１１５】
これにより紙幣ＢＬは、当該紙幣ＢＬの先端における左端部付近が、ビルストッパ１２３Ｌの紙幣衝突面１２７Ｌに当接し正常位置へと矯正される。これにより紙幣プール部２２０は、スキュー紙幣を整列して集積することができる。
【０１１６】
従来の紙幣プール部２０（図１７）においては、スキューした紙幣ＢＬの先行端部が紙幣プール壁２１ｂに衝突すると、紙幣プール壁２１ｂに沿って滑り落ちてしまうため、前方へ放出された勢いを回転力に変換し難かった。
【０１１７】
これに対し紙幣プール部２２０においては、スキューした紙幣ＢＬの先行端部がガイド７０に衝突すると、リブ２７２により滑り落ちを防ぎつつ、紙幣ＢＬの放出された勢いを回転力に変換し、正常位置へと矯正することができる。
【０１１８】
さらに紙幣プール部２２０においては、リブ２７２の後端面の方がビルストッパ１２３の紙幣衝突面１２７よりも前方に位置しているため、スキューしていない紙幣ＢＬは、リブ２７２の後端面には衝突しない。
【０１１９】
このため紙幣プール部２２０は、スキューすることなく正常に搬送されて来た紙幣ＢＬｔが紙幣衝突面１２７に正常に衝突することを妨げることなく、スキューした紙幣ＢＬｆに対して、当該スキューを矯正するように機能することができる。
【０１２０】
以上の構成によれば、媒体処理装置としての現金自動預払機２０１における媒体集積装置としての紙幣プール部２２０は、出金紙幣搬送路７ｂから集積ローラ２２により放出された紙幣ＢＬの先端を衝突させる紙幣衝突面１２７を有し、紙幣ＢＬの幅方向に当該紙幣の幅方向の長さよりも短い間隔を空けてビルストッパ１２３Ｒ及び１２３Ｌを設けるようにした。また紙幣プール部２２０は、ビルストッパ１２３Ｒ及び１２３Ｌよりも紙幣ＢＬの幅方向の外側において、斜行して放出された紙幣ＢＬが衝突する位置矯正部として左右方向に延在するリブ２７２を上下方向に複数本並べて設けるようにした。
【０１２１】
これにより現金自動預払機２０１は、スキューが発生した紙幣ＢＬにおける先行端部をリブ２７２の上側面に当接させることにより、紙幣ＢＬの先端が滑り落ちてしまうことを防ぎ、可動ステージ４０と紙幣プール壁２１ｂとの間に紙幣が潜り込んでしまうことを防止することができる。
【０１２２】
また現金自動預払機２０１は、スキューが発生した紙幣ＢＬの先行端部がガイド７０に衝突すると、リブ２７２により滑り落ちを防ぎ、紙幣ＢＬの放出された勢いを回転力に変換し、正常位置へと矯正することができる。
【０１２３】
かくして現金自動預払機２０１は、紙幣ＢＬの集積不良を防ぎ、信頼性を従来よりも格段に高め得ることができる。
【０１２４】
＜４．他の実施の形態＞
なお上述した第１の実施の形態においては、ビルストッパ２３Ｒの紙幣衝突面２７Ｒにおける左右端部に左角丸部５６Ｒ及び右角丸部５８Ｒを設け、ビルストッパ２３Ｌの紙幣衝突面２７Ｌにおける左右端部に左角丸部５６Ｌ及び右角丸部５８Ｌを設ける場合について述べた。
【０１２５】
本発明はこれに限らず、ビルストッパ２３Ｒにおける紙幣衝突面２７Ｒの右端部に右角丸部５８Ｒを設け、左端部には角部を設けると共に、ビルストッパ２３Ｌにおける紙幣衝突面２７Ｌの左端部に左角丸部５６Ｌを設け、右端部には角部を設けるようにしても良い。要はスキューした紙幣ＢＬが衝突する左右それぞれのビルストッパにおける左右方向の外側を曲面形状とすれば良い。
【０１２６】
このような構成であっても、紙幣ＢＬが上部から見て時計回りに回転するようにスキューした場合（図４）、紙幣ＢＬｆはビルストッパ２３Ｒにおける右角丸部５８Ｒに衝突し、当該右角丸部５８Ｒの曲面に沿って反時計回りに回転することにより正常位置に矯正される。
【０１２７】
また、紙幣ＢＬが上部から見て反時計回りに回転するようにスキューした場合（図示しない）、紙幣ＢＬはビルストッパ２３Ｌにおける左角丸部５６Ｌに衝突し、当該左角丸部５６Ｌの曲面に沿って時計回りに回転することにより正常位置に矯正される。
【０１２８】
さらに上述した第１の実施の形態においては、左右方向に間隔を空けてビルストッパ２３を２本設ける場合について述べた。本発明はこれに限らず、図１２に示す紙幣プール部３２０のように、ビルストッパ２３Ｒと２３Ｌ（図４）との左右方向の間部分をつなげたような形状でなり、左右方向の長さが紙幣ＢＬの長辺方向の長さよりもやや短い１本のビルストッパ３２３を設けても良い。
【０１２９】
この場合ビルストッパの個数を削減することができるが、上述したビルストッパ２３Ｒ及び２３Ｌの場合、当該ビルストッパ２３Ｒと２３Ｌとの間に紙幣プール部２０における他の部品を配置することができ、スペースを有効活用することができる。
【０１３０】
さらに上述した第２の実施の形態においては、ビルストッパ１２３Ｒ及び１２３Ｌ（図７）の紙幣衝突面１２７Ｒ及び１２７Ｌの左右端部を角部とする場合について述べた。
【０１３１】
本発明はこれに限らず、図１３に示す紙幣プール部４２０のように、ビルストッパ４２３Ｌ及び４２３Ｒの紙幣衝突面４２７Ｌ及び４２７Ｒの右端部及び左端部を曲面形状にしても良い。
【０１３２】
これにより紙幣プール部４２０は、リブ７２Ｒ又は７２Ｌに衝突したスキュー紙幣ＢＬを、ビルストッパ４２３Ｒ又は４２３Ｌの曲面形状に沿って回転させることで、より一層スムーズに紙幣ＢＬを回転させてその位置を矯正することができる。
【０１３３】
また図１４に示す位置矯正部５８０のように、リブ紙幣衝突面７４（図１４においてはリブ紙幣衝突面７４Ｒを図示する）に、断面Ｖ字形状のリブ凸部５６０を上下方向に複数本並んで鋸歯状に突設しても良い。
【０１３４】
この場合リブ凸部５６０は、スキューした紙幣ＢＬの先端を支持し滑り落ちないようにすることができるため、紙幣ＢＬの先端が可動ステージ４０と紙幣プール壁２１ｂとの間に潜り込んでしまうことを防止できる。またこの場合、リブ７２Ｒの後方右端部は、曲面形状でなくても良い。
【０１３５】
さらに上述した第３の実施の形態においては、リブ２７２Ｒ（図１１）を直方体とする場合について述べた。本発明はこれに限らず、参考例として図１５に示す位置矯正部６８０のように、リブ６７２（図１５においてはリブ６７２Ｒを図示する）の後端面の上下端部を丸面取りしても良い。この場合位置矯正部６８０は、上下方向に隣り合うリブ６７２の間に紙幣ＢＬをさらに導き易くすることができる。
【０１３６】
さらに上述した第２の実施の形態においては、リブ高さＨＲＢをビルストッパ高さＨＢＳよりも短くする場合について述べた。本発明はこれに限らず、リブ高さＨＲＢはビルストッパ高さＨＢＳと同じ長さであっても良い。
【０１３７】
その場合、スキューしていない紙幣ＢＬｔは紙幣衝突面１２７とリブ紙幣衝突面７４の両方に衝突する可能性があるが、そのような場合であっても紙幣ＢＬｔは、正常な位置に集積される。
【０１３８】
さらに上述した第３の実施の形態においては、リブ高さＨＲＢをビルストッパ高さＨＢＳよりも短くする場合について述べた。本発明はこれに限らず、リブ高さＨＲＢはビルストッパ高さＨＢＳと同じ長さであっても良い。
【０１３９】
その場合、スキューしていない紙幣ＢＬｔは紙幣衝突面１２７とリブ２７２における後端面の両方に衝突する可能性があるが、そのような場合であっても紙幣ＢＬｔは、正常な位置に集積される。
【０１４０】
さらに上述した第１の実施の形態においては、一対のビルストッパ２３Ｒ及び２３Ｌを、紙幣ＢＬの長辺方向に沿って左右に１つずつ延在させる場合について述べた。
【０１４１】
本発明はこれに限らず、ビルストッパを紙幣ＢＬの長辺方向に沿って３つ以上設けても良い。
【０１４２】
その場合、複数のビルストッパのうち最も左側に位置するビルストッパにおける紙幣衝突面の左端部に左角丸部を設けると共に、最も右側に位置するビルストッパにおける紙幣衝突面の右端部に右角丸部を設けるようにすれば良い。
【０１４３】
また、複数のビルストッパのうち最も左側に位置するビルストッパの左側にリブを設けると共に、最も右側に位置するビルストッパの右側にリブを設けるようにしても良い。
【０１４４】
さらに上述した第１及び第２の実施の形態においては、ビルストッパ２３又はリブ７２の角丸部を曲面形状にする場合について述べた。本発明はこれに限らず、例えば紙幣衝突面２７Ｒ（図５）と右側面５４Ｒとに参考例として４５度の角度を持って接する平面により面取りするようにしても良い。
【０１４５】
この場合においても、９０度の角度でなる角部に紙幣ＢＬが衝突することと比べて、スキューした紙幣ＢＬを面取りした平面に沿ってある程度回転させることができる。
【０１４６】
さらに上述した第２の形態においては、リブ紙幣衝突面７４Ｒ及び７４Ｌにおける後端面の左右方向外側端部のみを曲面形状とする場合について述べた。本発明はこれに限らず、リブ紙幣衝突面７４Ｒ及び７４Ｌにおける後端面の左右方向内側端部も曲面形状としても良い。
【０１４７】
さらに上述した実施の形態においては、凸部６０（図５）の後端部を直線形状とする場合について述べたが、本発明はこれに限らず、ビルストッパ２３の曲面形状に沿うように湾曲させても良い。
【０１４８】
さらに上述した実施の形態においては、ビルストッパ２３及び１２３とリブ７２とを鉛直方向に延設する場合について述べたが、本発明はこれに限らず、ビルストッパ２３及び１２３とリブ７２は、鉛直方向に対し傾いていても良い。
【０１４９】
さらに上述した形態においては、紙幣衝突面には、断面Ｖ字形状の凸部を上下方向に複数本並んで鋸歯状に突設する場合について述べた。本発明はこれに限らず、紙幣衝突面に、例えば断面Ｖ字形状でなる切欠溝を刻設しても良い。要は、紙幣ＢＬの先端を引っかけることにより支持する形状の支持部が形成されていれば良い。
【０１５０】
さらに上述した実施の形態においては、紙幣ＢＬを短辺方向に沿って搬送路７により搬送したが、本発明はこれに限らず、長辺方向に沿って搬送しても良い。
【０１５１】
さらに上述した実施の形態においては、現金を取引する現金自動預払機の紙幣プール部において紙幣を集積する際に本発明を適用する場合について述べた。
【０１５２】
本発明はこれに限らず、例えば一時保留部５、紙幣貯蔵部６等においても適用して良い。要は、外部から内部に放出された紙状の媒体を集積する装置であれば良い。
【０１５３】
さらに上述した実施の形態においては、媒体として紙幣について述べたが、本発明はこれに限らず、例えば商品券や金券、入場券等のような薄い紙状の媒体であれば良い。
【０１５４】
さらに上述した実施の形態においては、位置矯正部としてのビルストッパ２３又は、リブ７２及びビルストッパ１２３と、媒体収容部としての紙幣プール壁２１又は１２１とによって、媒体集積装置としての紙幣プール部２０又は１２０を構成する場合について述べた。
【０１５５】
本発明はこれに限らず、その他種々の構成でなる位置矯正部と媒体収容部とによって媒体集積装置を構成するようにしても良い。
【０１５６】
さらに上述した実施の形態においては、媒体放出部としての集積ローラ２２と、位置矯正部としてのビルストッパ２３又は、リブ７２及びビルストッパ１２３と、媒体収容部としての紙幣プール壁２１又は１２１と、媒体繰出部としての繰出ローラ４２及び入金ローラ２６と、媒体搬送路としての搬送路７とによって媒体処理装置としての現金自動預払機１又は１０１を構成する場合について述べた。
【０１５７】
本発明はこれに限らず、その他種々の構成でなる媒体放出部と、位置矯正部と、媒体収容部と、媒体繰出部と、媒体搬送路とによって媒体処理装置を構成するようにしても良い。
【産業上の利用可能性】
【０１５８】
本発明は、搬送された紙幣等の紙状の媒体を集積する種々の装置でも利用できる。
【符号の説明】
【０１５９】
１、１０１、２０１……現金自動預払機、２……筐体、３……接客部、５……一時保留部、７ａ……入金紙幣搬送路、７ｂ……出金紙幣搬送路、１２……紙幣入出金口、２０、１２０、２２０、３２０、４２０……紙幣プール部、２１……紙幣プール壁、２２……集積ローラ、２３、１２３、３２３、４２３……ビルストッパ、２４……紙幣プール、２５……開口部、２６……入金ローラ、２７、１２７、４２７……紙幣衝突面、２８……舌片、３１……回動軸、４０……可動ステージ、４２……繰出ローラ、５２、１５２……左側面、５４、１５４……右側面、５６、１５６……左角丸部、５８、１５８……右角丸部、６０、１６０……凸部、５６０……リブ凸部、７０……ガイド、７２、２７２、６７２……リブ、７４……リブ紙幣衝突面、７６……リブ左側面、８０、１８０、２８０、５８０、６８０……位置矯正部、ＨＲＢ……リブ高さ、ＨＢＳ……ビルストッパ高さ、ＢＬ……紙幣。
【図１】
0005712871.tif 000002
【図２】
0005712871.tif 000003
【図３】
0005712871.tif 000004
【図４】
0005712871.tif 000005
【図５】
0005712871.tif 000006
【図６】
0005712871.tif 000007
【図７】
0005712871.tif 000008
【図８】
0005712871.tif 000009
【図９】
0005712871.tif 000010
【図１０】
0005712871.tif 000011
【図１１】
0005712871.tif 000012
【図１２】
0005712871.tif 000013
【図１３】
0005712871.tif 000014
【図１４】
0005712871.tif 000015
【図１５】
0005712871.tif 000016
【図１６】
0005712871.tif 000017
【図１７】
0005712871.tif 000018
【図１８】
0005712871.tif 000019